(57)【要約】【課題】仮想空間アプリケーションプログラムを起動する際に、最新のファイルをダウンロードすることができるようにした仮想空間コミュニケーションシステムを提供する。【解決手段】携帯電話内で動作する仮想空間アプリケーションプログラムを用いて仮想空間におけるコミュニケーションが可能な仮想空間コミュニケーションシステムであって、版比較手段は、前記携帯電話によって前記仮想空間アプリケーションプログラムを起動する際に、現在の前記仮想空間アプリケーションプログラムが用いる前記携帯電話内に記憶されているファイルと最新の仮想空間アプリケーションプログラムが用いるファイルとの版を比較し、ダウンロード手段は、前記版比較手段によって前記携帯電話内に記憶されているファイルが古い場合は、前記携帯電話内に新しいファイルをダウンロードする。【選択図】図１
2008083836.tif 000002
【特許請求の範囲】
【請求項１】
携帯電話内で動作する仮想空間アプリケーションプログラムを用いて仮想空間におけるコミュニケーションが可能な仮想空間コミュニケーションシステムであって、
前記携帯電話によって前記仮想空間アプリケーションプログラムを起動する際に、現在の前記仮想空間アプリケーションプログラムが用いる前記携帯電話内に記憶されているファイルと最新の仮想空間アプリケーションプログラムが用いるファイルとの版を比較する版比較手段と、
前記版比較手段によって前記携帯電話内に記憶されているファイルが古い場合は、前記携帯電話内に新しいファイルをダウンロードするダウンロード手段
を具備することを特徴とする仮想空間コミュニケーションシステム。
【請求項２】
携帯電話と管理サーバーとが通信回線を介して接続されており、前記携帯電話内で動作する仮想空間アプリケーションプログラムを用いて仮想空間におけるコミュニケーションが可能な仮想空間コミュニケーションシステムであって、
前記携帯電話は、
前記仮想空間アプリケーションプログラムが用いるファイルを記憶するファイル記憶手段と、
前記ファイル記憶手段に記憶されているファイルの日付を記憶するファイル日付記憶手段と、
前記仮想空間アプリケーションプログラムを起動する際に、前記ファイル日付記憶手段に記憶されているファイルの日付と前記管理サーバーに記憶されている最新の仮想空間アプリケーションプログラムが用いるファイルの日付とを比較する日付比較手段と、
前記日付比較手段によってファイルが古い場合は、前記管理サーバーに記憶されている新しいファイルを前記ファイル記憶手段にダウンロードするダウンロード手段
を具備し、
前記管理サーバーは、
前記仮想空間アプリケーションプログラムが用いる最新のファイルを記憶する最新ファイル記憶手段と、
前記最新ファイル記憶手段に記憶されているファイルの日付を記憶する最新ファイル日付記憶手段
を具備することを特徴とする仮想空間コミュニケーションシステム。
【請求項３】
管理サーバーと通信回線を介して接続されている携帯電話内で動作する仮想空間アプリケーションプログラムによって、仮想空間におけるコミュニケーションが可能な仮想空間コミュニケーションシステムであって、
前記仮想空間アプリケーションプログラムが用いるファイルを記憶するファイル記憶手段と、
前記ファイル記憶手段に記憶されているファイルの日付を記憶するファイル日付記憶手段と、
前記仮想空間アプリケーションプログラムを起動する際に、前記ファイル日付記憶手段に記憶されているファイルの日付と前記管理サーバーに記憶されている最新の仮想空間アプリケーションプログラムが用いるファイルの日付とを比較する日付比較手段と、
前記日付比較手段によってファイルが古い場合は、前記管理サーバーに記憶されている新しいファイルを前記ファイル記憶手段にダウンロードするダウンロード手段
を具備することを特徴とする仮想空間コミュニケーションシステム。
【請求項４】
携帯電話内で動作し、仮想空間におけるコミュニケーションが可能な仮想空間アプリケーションプログラムであって、
前記携帯電話に、
前記携帯電話によって前記仮想空間アプリケーションプログラムを起動する際に、現在の前記仮想空間アプリケーションプログラムが用いる前記携帯電話内に記憶されているファイルと最新の仮想空間アプリケーションプログラムが用いるファイルとの版を比較する版比較機能と、
前記版比較機能によって前記携帯電話内に記憶されているファイルが古い場合は、前記携帯電話内に新しいファイルをダウンロードするダウンロード機能
を実現させることを特徴とする仮想空間アプリケーションプログラム。
【請求項５】
携帯電話と管理サーバーとが通信回線を介して接続された仮想空間コミュニケーションシステムで動作し、仮想空間におけるコミュニケーションが可能な仮想空間アプリケーションプログラムであって、
前記携帯電話に、
前記仮想空間アプリケーションプログラムが用いるファイルを記憶するファイル記憶機能と、
前記ファイル記憶機能に記憶されているファイルの日付を記憶するファイル日付記憶機能と、
前記仮想空間アプリケーションプログラムを起動する際に、前記ファイル日付記憶機能に記憶されているファイルの日付と前記管理サーバーに記憶されている最新の仮想空間アプリケーションプログラムが用いるファイルの日付を比較する日付比較機能と、
前記日付比較機能によってファイルが古い場合は、前記管理サーバーに記憶されている新しいファイルを前記ファイル記憶機能にダウンロードするダウンロード機能
を実現させ、
前記管理サーバーに、
前記仮想空間アプリケーションプログラムが用いる最新のファイルを記憶する最新ファイル記憶機能と、
前記最新ファイル記憶機能に記憶されているファイルの日付を記憶する最新ファイル日付記憶機能
を実現させることを特徴とする仮想空間アプリケーションプログラム。
【請求項６】
管理サーバーと通信回線を介して接続されている携帯電話内で動作し、仮想空間におけるコミュニケーションが可能な仮想空間アプリケーションプログラムであって、
前記携帯電話に、
前記仮想空間アプリケーションプログラムが用いるファイルを記憶するファイル記憶機能と、
前記ファイル記憶機能に記憶されているファイルの日付を記憶するファイル日付記憶機能と、
前記仮想空間アプリケーションプログラムを起動する際に、前記ファイル日付記憶機能に記憶されているファイルの日付と前記管理サーバーに記憶されている最新の仮想空間アプリケーションプログラムが用いるファイルの日付を比較する日付比較機能と、
前記日付比較機能によってファイルが古い場合は、前記管理サーバーに記憶されている新しいファイルを前記ファイル記憶機能にダウンロードするダウンロード機能
を実現させることを特徴とする仮想空間アプリケーションプログラム。
【請求項７】
携帯電話内で動作する仮想空間アプリケーションプログラムを用いて仮想空間におけるコミュニケーションが可能な仮想空間コミュニケーションシステムが行うダウンロード方法であって、
前記携帯電話によって前記仮想空間アプリケーションプログラムを起動する際に、現在の前記仮想空間アプリケーションプログラムが用いる前記携帯電話内に記憶されているファイルと最新の仮想空間アプリケーションプログラムが用いるファイルとの版を比較し、
前記比較によって前記携帯電話内に記憶されているファイルが古い場合は、前記携帯電話内に新しいファイルをダウンロードする
ことを特徴とするダウンロード方法。
【請求項８】
携帯電話と管理サーバーとが通信回線を介して接続されており、前記携帯電話内で動作する仮想空間アプリケーションプログラムを用いて仮想空間におけるコミュニケーションが可能な仮想空間コミュニケーションシステムが行うダウンロード方法であって、
前記携帯電話は、
前記仮想空間アプリケーションプログラムが用いるファイルを記憶するファイル記憶手段と、
前記ファイル記憶手段に記憶されているファイルの日付を記憶するファイル日付記憶手段
を具備し、
前記管理サーバーは、
前記仮想空間アプリケーションプログラムが用いる最新のファイルを記憶する最新ファイル記憶手段と、
前記最新ファイル記憶手段に記憶されているファイルの日付を記憶する最新ファイル日付記憶手段
を具備し、
前記携帯電話は、
前記仮想空間アプリケーションプログラムを起動する際に、前記ファイル日付記憶手段に記憶されているファイルの日付と前記管理サーバーに記憶されている最新の仮想空間アプリケーションプログラムが用いるファイルの日付とを比較し、
前記比較によってファイルが古い場合は、前記管理サーバーに記憶されている新しいファイルを前記ファイル記憶手段にダウンロードする
ことを特徴とするダウンロード方法。
【請求項９】
管理サーバーと通信回線を介して接続されている携帯電話内で動作する仮想空間アプリケーションプログラムによって仮想空間におけるコミュニケーションが可能な仮想空間コミュニケーションシステムが行うダウンロード方法であって、
前記携帯電話は、
前記仮想空間アプリケーションプログラムが用いるファイルを記憶するファイル記憶手段と、
前記ファイル記憶手段に記憶されているファイルの日付を記憶するファイル日付記憶手段
を具備し、
前記仮想空間アプリケーションプログラムを起動する際に、前記ファイル日付記憶手段に記憶されているファイルの日付と前記管理サーバーに記憶されている最新の仮想空間アプリケーションプログラムが用いるファイルの日付とを比較し、
前記比較によってファイルが古い場合は、前記管理サーバーに記憶されている新しいファイルを前記ファイル記憶手段にダウンロードする
ことを特徴とするダウンロード方法。
【発明の詳細な説明】
【技術分野】
【０００１】
本発明は、携帯電話内で動作する仮想空間アプリケーションプログラムを用いて仮想空間におけるコミュニケーションが可能な仮想空間コミュニケーションシステム、携帯電話内で動作し仮想空間におけるコミュニケーションが可能な仮想空間アプリケーションプログラムおよび携帯電話内で動作する仮想空間アプリケーションプログラムを用いて仮想空間におけるコミュニケーションが可能な仮想空間コミュニケーションシステムが行うダウンロード方法に関する。
【背景技術】
【０００２】
携帯電話を用いたサービスとして、豊かなコミュニケーションを可能にする身近で使いやすいサービスが望まれている。そのためには、第三者が発信するメッセージを一方的に受け取るのではなく、生身の「人と人」の間のコミュニケーションをサポートすることが必要である。また、これまでは「知り合い」までに限られていたコミュニケーションの相手を、世の中にいる「自分と同じ興味をもつ人たち」にまで広げることも必要である。そして、利用者としても、新しい仲間を見つけ、「人と人」の間のコミュニケーションをもっと楽しめるようにしたいという要求がある。
【０００３】
そのために、アバター（Ａｖａｔａｒ）を利用した仮想空間におけるサービスが利用されている。例えば、オンライン対戦型ゲームなどが実現されているが、今まで知らなかった人との現実世界にも通じるコミュニケーションが実現されているわけではない。
そこで、仮想空間における「今まで知らなかった人とのコミュニケーション」を実現するためのプラットフォームを構築することが望まれている。つまり、携帯電話のユーザーが住人となって、散歩、イベント、コミュニケーション、おしゃれ、ゲームなどを、いつでも、どこからでも気軽に楽しめる仮想空間が望まれている。
しかし、そのような仮想空間を構築するためには、膨大なデータ量が必要であり、またその空間を例えば季節にあわせて新しくすることのように頻繁に更新することが求められている。そのために版管理ということが必要になる。
【０００４】
これらに関連する技術として、例えば、特許文献１には、使用頻度の高いソフトウェアのみを自動的にバージョンアップしてサーバーへの無駄なアクセスを減らすことを課題とし、端末制御部は、頻度格納部に記録されているソフトウェアの頻度数を監視し、閾値を越えたソフトウェアのバージョン情報をバージョン格納部から取り出しサーバーに伝え、サーバー制御部は、サーバーの最新ソフトウェア格納部に格納されている最新ソフトウェアのバージョン情報をバージョン格納部からとりだし、端末から送信されたバージョン情報と比較し、不一致のとき最新ソフトウェア格納部から端末指定のソフトウェアの最新版をとりだし、回線接続部を通じて端末に送信し、サーバーからの返信を受け取った端末制御部は、ソフトウェア格納部に格納されている指定のソフトウェアを更新することが開示されている。
【０００５】
また、一般的に、パソコン等に用いられるアプリケーションの版管理においては、電話による問い合わせが行われることがある。その場合は、ユーザーと担当者が電話による会話によって、ユーザーはアプリケーションの版を確認し、担当者はその版を伝えてもらい、対処することが可能である。
【特許文献１】特開２００３−２１６４３０号公報
【発明の開示】
【発明が解決しようとする課題】
【０００６】
しかしながら、このような従来の技術では、使用頻度の高いソフトウェアのみを自動的にバージョンアップしているため、使用頻度が低いソフトウェアはバージョンアップされないおそれがあり、必要なソフトウェアがダウンロードされない場合がおこる。また、電話を用いたユーザーと担当者の会話によるアプリケーションの版管理においては、アプリケーションそのものが携帯電話を用いたものである場合に、その携帯電話を用いて担当者に問い合わせることができず、さらにユーザーが版管理を行わなければならないという問題点があった。
本発明は、このような従来の技術が有する問題点に着目してなされたもので、仮想空間アプリケーションプログラムを起動する際に、最新のファイルをダウンロードすることができるようにした仮想空間コミュニケーションシステム、仮想空間アプリケーションプログラムおよびダウンロード方法を提供することを目的としている。
【課題を解決するための手段】
【０００７】
かかる目的を達成するための本発明の要旨とするところは、次の各項の発明に存する。
［１］  携帯電話内で動作する仮想空間アプリケーションプログラムを用いて仮想空間におけるコミュニケーションが可能な仮想空間コミュニケーションシステムであって、
前記携帯電話によって前記仮想空間アプリケーションプログラムを起動する際に、現在の前記仮想空間アプリケーションプログラムが用いる前記携帯電話内に記憶されているファイルと最新の仮想空間アプリケーションプログラムが用いるファイルとの版を比較する版比較手段と、
前記版比較手段によって前記携帯電話内に記憶されているファイルが古い場合は、前記携帯電話内に新しいファイルをダウンロードするダウンロード手段
を具備することを特徴とする仮想空間コミュニケーションシステム。
【０００８】
［２］  携帯電話と管理サーバーとが通信回線を介して接続されており、前記携帯電話内で動作する仮想空間アプリケーションプログラムを用いて仮想空間におけるコミュニケーションが可能な仮想空間コミュニケーションシステムであって、
前記携帯電話は、
前記仮想空間アプリケーションプログラムが用いるファイルを記憶するファイル記憶手段と、
前記ファイル記憶手段に記憶されているファイルの日付を記憶するファイル日付記憶手段と、
前記仮想空間アプリケーションプログラムを起動する際に、前記ファイル日付記憶手段に記憶されているファイルの日付と前記管理サーバーに記憶されている最新の仮想空間アプリケーションプログラムが用いるファイルの日付とを比較する日付比較手段と、
前記日付比較手段によってファイルが古い場合は、前記管理サーバーに記憶されている新しいファイルを前記ファイル記憶手段にダウンロードするダウンロード手段
を具備し、
前記管理サーバーは、
前記仮想空間アプリケーションプログラムが用いる最新のファイルを記憶する最新ファイル記憶手段と、
前記最新ファイル記憶手段に記憶されているファイルの日付を記憶する最新ファイル日付記憶手段
を具備することを特徴とする仮想空間コミュニケーションシステム。
【０００９】
［３］  管理サーバーと通信回線を介して接続されている携帯電話内で動作する仮想空間アプリケーションプログラムによって、仮想空間におけるコミュニケーションが可能な仮想空間コミュニケーションシステムであって、
前記仮想空間アプリケーションプログラムが用いるファイルを記憶するファイル記憶手段と、
前記ファイル記憶手段に記憶されているファイルの日付を記憶するファイル日付記憶手段と、
前記仮想空間アプリケーションプログラムを起動する際に、前記ファイル日付記憶手段に記憶されているファイルの日付と前記管理サーバーに記憶されている最新の仮想空間アプリケーションプログラムが用いるファイルの日付とを比較する日付比較手段と、
前記日付比較手段によってファイルが古い場合は、前記管理サーバーに記憶されている新しいファイルを前記ファイル記憶手段にダウンロードするダウンロード手段
を具備することを特徴とする仮想空間コミュニケーションシステム。
【００１０】
［４］  携帯電話内で動作し、仮想空間におけるコミュニケーションが可能な仮想空間アプリケーションプログラムであって、
前記携帯電話に、
前記携帯電話によって前記仮想空間アプリケーションプログラムを起動する際に、現在の前記仮想空間アプリケーションプログラムが用いる前記携帯電話内に記憶されているファイルと最新の仮想空間アプリケーションプログラムが用いるファイルとの版を比較する版比較機能と、
前記版比較機能によって前記携帯電話内に記憶されているファイルが古い場合は、前記携帯電話内に新しいファイルをダウンロードするダウンロード機能
を実現させることを特徴とする仮想空間アプリケーションプログラム。
【００１１】
［５］  携帯電話と管理サーバーとが通信回線を介して接続された仮想空間コミュニケーションシステムで動作し、仮想空間におけるコミュニケーションが可能な仮想空間アプリケーションプログラムであって、
前記携帯電話に、
前記仮想空間アプリケーションプログラムが用いるファイルを記憶するファイル記憶機能と、
前記ファイル記憶機能に記憶されているファイルの日付を記憶するファイル日付記憶機能と、
前記仮想空間アプリケーションプログラムを起動する際に、前記ファイル日付記憶機能に記憶されているファイルの日付と前記管理サーバーに記憶されている最新の仮想空間アプリケーションプログラムが用いるファイルの日付を比較する日付比較機能と、
前記日付比較機能によってファイルが古い場合は、前記管理サーバーに記憶されている新しいファイルを前記ファイル記憶機能にダウンロードするダウンロード機能
を実現させ、
前記管理サーバーに、
前記仮想空間アプリケーションプログラムが用いる最新のファイルを記憶する最新ファイル記憶機能と、
前記最新ファイル記憶機能に記憶されているファイルの日付を記憶する最新ファイル日付記憶機能
を実現させることを特徴とする仮想空間アプリケーションプログラム。
【００１２】
［６］  管理サーバーと通信回線を介して接続されている携帯電話内で動作し、仮想空間におけるコミュニケーションが可能な仮想空間アプリケーションプログラムであって、
前記携帯電話に、
前記仮想空間アプリケーションプログラムが用いるファイルを記憶するファイル記憶機能と、
前記ファイル記憶機能に記憶されているファイルの日付を記憶するファイル日付記憶機能と、
前記仮想空間アプリケーションプログラムを起動する際に、前記ファイル日付記憶機能に記憶されているファイルの日付と前記管理サーバーに記憶されている最新の仮想空間アプリケーションプログラムが用いるファイルの日付を比較する日付比較機能と、
前記日付比較機能によってファイルが古い場合は、前記管理サーバーに記憶されている新しいファイルを前記ファイル記憶機能にダウンロードするダウンロード機能
を実現させることを特徴とする仮想空間アプリケーションプログラム。
【００１３】
［７］  携帯電話内で動作する仮想空間アプリケーションプログラムを用いて仮想空間におけるコミュニケーションが可能な仮想空間コミュニケーションシステムが行うダウンロード方法であって、
前記携帯電話によって前記仮想空間アプリケーションプログラムを起動する際に、現在の前記仮想空間アプリケーションプログラムが用いる前記携帯電話内に記憶されているファイルと最新の仮想空間アプリケーションプログラムが用いるファイルとの版を比較し、
前記比較によって前記携帯電話内に記憶されているファイルが古い場合は、前記携帯電話内に新しいファイルをダウンロードする
ことを特徴とするダウンロード方法。
【００１４】
［８］  携帯電話と管理サーバーとが通信回線を介して接続されており、前記携帯電話内で動作する仮想空間アプリケーションプログラムを用いて仮想空間におけるコミュニケーションが可能な仮想空間コミュニケーションシステムが行うダウンロード方法であって、
前記携帯電話は、
前記仮想空間アプリケーションプログラムが用いるファイルを記憶するファイル記憶手段と、
前記ファイル記憶手段に記憶されているファイルの日付を記憶するファイル日付記憶手段
を具備し、
前記管理サーバーは、
前記仮想空間アプリケーションプログラムが用いる最新のファイルを記憶する最新ファイル記憶手段と、
前記最新ファイル記憶手段に記憶されているファイルの日付を記憶する最新ファイル日付記憶手段
を具備し、
前記携帯電話は、
前記仮想空間アプリケーションプログラムを起動する際に、前記ファイル日付記憶手段に記憶されているファイルの日付と前記管理サーバーに記憶されている最新の仮想空間アプリケーションプログラムが用いるファイルの日付とを比較し、
前記比較によってファイルが古い場合は、前記管理サーバーに記憶されている新しいファイルを前記ファイル記憶手段にダウンロードする
ことを特徴とするダウンロード方法。
【００１５】
［９］  管理サーバーと通信回線を介して接続されている携帯電話内で動作する仮想空間アプリケーションプログラムによって仮想空間におけるコミュニケーションが可能な仮想空間コミュニケーションシステムが行うダウンロード方法であって、
前記携帯電話は、
前記仮想空間アプリケーションプログラムが用いるファイルを記憶するファイル記憶手段と、
前記ファイル記憶手段に記憶されているファイルの日付を記憶するファイル日付記憶手段
を具備し、
前記仮想空間アプリケーションプログラムを起動する際に、前記ファイル日付記憶手段に記憶されているファイルの日付と前記管理サーバーに記憶されている最新の仮想空間アプリケーションプログラムが用いるファイルの日付とを比較し、
前記比較によってファイルが古い場合は、前記管理サーバーに記憶されている新しいファイルを前記ファイル記憶手段にダウンロードする
ことを特徴とするダウンロード方法。
【００１６】
前記本発明は次のように作用する。
本発明における仮想空間コミュニケーションシステム、仮想空間アプリケーションプログラムおよびダウンロード方法は、携帯電話内で動作する仮想空間アプリケーションプログラムを用いて仮想空間におけるコミュニケーションが可能である仮想空間コミュニケーションシステムが行うダウンロードである。前記携帯電話は、前記仮想空間アプリケーションプログラムが用いるファイルを記憶するファイル記憶手段と、前記ファイル記憶手段に記憶されているファイルの日付を記憶するファイル日付記憶手段を具備し、前記管理サーバーは、前記仮想空間アプリケーションプログラムが用いる最新のファイルを記憶する最新ファイル記憶手段と、前記最新ファイル記憶手段に記憶されているファイルの日付を記憶する最新ファイル日付記憶手段を具備する。そして、前記携帯電話は、前記仮想空間アプリケーションプログラムを起動する際に、前記ファイル日付記憶手段に記憶されているファイルの日付と前記管理サーバーに記憶されている最新の仮想空間アプリケーションプログラムが用いるファイルの日付とを比較し、その比較によってファイルが古い場合は、前記管理サーバーに記憶されている新しいファイルを前記ファイル記憶手段にダウンロードする。
これによって、仮想空間アプリケーションプログラムを起動する際に、最新のファイルをダウンロードすることができ、携帯電話を用いた仮想空間でのコミュニケーションを常に最新のファイルで行うことができるようになる。
【発明の効果】
【００１７】
本発明にかかる仮想空間コミュニケーションシステム、仮想空間アプリケーションプログラムおよびダウンロード方法によれば、仮想空間アプリケーションプログラムを起動する際に、最新のファイルをダウンロードすることができる。つまり、携帯電話を用いた仮想空間でのコミュニケーションの際に、常に最新のファイルを用いることができるようになる。これによって、電話による仮想空間アプリケーションプログラムの不具合等の問い合わせの際に、ファイルの版番号を調べる必要がなくなり、その問い合わせの時間を短縮し、操作者にとっての利便性を高めることができる。
【発明を実施するための最良の形態】
【００１８】
まず、本実施の形態の理解を容易にするために、図５〜図８を用いて、携帯電話を用いた仮想空間アプリケーションを説明する。
仮想空間アプリケーションは、現実世界では出会えないような人とのコミュニケーションの場を提供するものであり、そのために仮想空間としての街を用意し、「もう一人の自分」としてのアバターを介してリアルタイムでチャットを行う環境を用意する。これによって、広告、電子的なコンテンツに関するビジネスを活性化させることもできる。
また、この仮想空間としての街は、携帯電話の中に広がる、現実世界とは別のもう一つの世界である。その街では、ユーザー自身としてのアバターが行動し、別のユーザーと会話（チャット）をしたり、自分の部屋（マイルーム）を飾り付けたりしながら、現実とは違った自分として生活することができる。
ただし、仮想空間でのみの行動ではなく、実在するユーザーとの会話ができ、自分の趣味にあった電子的なコンテンツまたは現実としてのコンテンツ等を購入することができ、現実の世界とも通じている。
また、仮想空間としての街は、季節にあわせて変化させたり、新しい店舗、タウンを作ったりすることもできる。
【００１９】
図５を用いて、仮想空間アプリケーションが取り扱う仮想空間を説明する。仮想空間は、立体的に描画されたグラフィックスによって描いており、大きく分けてマイルーム５２０、センター街５１０、おしゃれタウン５３０等のタウンからなる。アバターはこの仮想空間を自由に移動することができる。
マイルーム５２０は、ユーザー毎に割り当てられる空間である。仮想空間アプリケーション起動時は、このマイルーム５２０から始まる。また、マイルーム５２０はユーザーによって模様替えすることもできる。他のユーザーを招待して、自分のマイルーム５２０を他のユーザーに見せたり、その中でチャットすることができる。マイルーム５２０はセンター街５１０とつながっており、マイルーム５２０のドアを開くと、センター街５１０へ移動することができる。
【００２０】
センター街５１０は、ユーザー全員が共有する空間である。他人と出会ったり、チャットしたりできる。また、アイテムをショップ５１２で購入したり、拾ったりすることもできる。ショップ５１２では、仮想マネー等を用いて、アイテムを購入することができる。なお、図５では、ショップ５１２として、ショップ５１２Ａ〜ショップ５１２Ｄの４つが配置されている。また、アイテムとしては、マイルーム５２０を飾る壁紙、マイルーム５２０内に置く植物等がある。
そして、看板広告５１１をセンター街５１０内に配置することができる。看板広告５１１にはＵＲＬを埋め込んでおき、その看板広告５１１が操作者によって携帯電話２００のキー４２０を用いてクリックされると、ＵＲＬが示すサーバーにアクセスすることができる。なお、図５では、看板広告５１１として、看板広告５１１Ａ〜看板広告５１１Ｄの４つが配置されている。
センター街５１０は、マイルーム５２０、おしゃれタウン５３０等のタウンとつながっており、ユーザーはマイルーム５２０からセンター街５１０へ入場し、おしゃれタウン５３０等のタウンへ入場することができる。
【００２１】
タウンは、おしゃれタウン５３０、デジタルタウン５４０、アクティブタウン５５０、カルチャータウン５６０からなり、センター街５１０と同様に、ユーザー全員が共有できる空間であり、他人と出会ったり、チャットしたりできる。また、ショップ５１２でアイテムを購入することもできる。タウンが複数あるのは、趣味によって集まるユーザーが異なるからである。おしゃれタウン５３０にはファッション、美容、グルメ、ペット等のショップ５１２が配置され、デジタルタウン５４０には携帯電話、パソコン、ゲーム等のショップ５１２が配置され、アクティブタウン５５０にはスポーツ、釣り、アウトドア、車、バイク、旅行、ギャンブル等のショップ５１２が配置され、カルチャータウン５６０にはテレビ、映画、読書、アート、音楽、カラオケ、習い事、語学等のショップ５１２が配置される。これらのショップ５１２は各ショップの経営者によって管理される。
【００２２】
図６を用いて、マイルーム５２０および登場人物を説明する。マイルーム５２０は、図６に示すように、現実の部屋を模しており、自分自身を表しているアバターＡ６１０のほかに、他のユーザーを表しているアバターＢ６２０、アバターＣ６３０が入ることができる。ただし、他のユーザーのアバターＢ６２０、アバターＣ６３０をマイルーム５２０に入れるには「トモダチ」になる必要がある。逆に、「トモダチ」になれば、他のユーザーのマイルーム５２０へ行くこともできる。
【００２３】
図７を用いて、マイルーム５２０を詳細に説明する。図７（Ａ）は、マイルーム５２０を上から見た図である。図７において、マイルーム５２０の右上隅は図７（Ｂ）に示し、マイルーム５２０の右下隅は図７（Ｃ）に示し、マイルーム５２０の左下隅は図７（Ｄ）に示し、マイルーム５２０の左上隅は図７（Ｅ）に示した。
マイルーム５２０の右上隅には、ショップ５１２で購入したポスター等を貼り付けることができるマイボード７１０、この街のユーザーとメールすることができるメール７２０、そのユーザーが所持している仮想マネーを確認することができる金庫７３０が配置されている。
マイルーム５２０の右下隅には、そのユーザーが所持している全てのアイテムを確認できる収納７４０、ショップ５１２で購入したものである植物７５０が配置されている。
【００２４】
マイルーム５２０の左下隅には、コレクションスペース７６１〜コレクションスペース７６４が配置されている。それぞれのコレクションスペースの上にはアイテムＡ７７１、アイテムＢ７７２を飾ることができる。アイテムＡ７７１は、センター街５１０で拾ってきたアイテムやショップ５１２で購入したアイテム等である。
マイルーム５２０の左上隅には、携帯電話から音楽を聴くためのＢＧＭ７８０、エージェント７８２を置くためのエージェントスペース７８１、センター街５１０へ行くことができるドア７９０が配置されている。エージェント７８２は、ユーザーの指示によって所望のプロファイルを有している他のユーザーを探したりする。また、各種コミュニケーションを行った頻度によって、エージェント７８２の外観を変化させたり、エージェント７８２の能力（ユーザーの頼みごとを叶えたり、他のユーザーを探す能力等）を向上させることができる。
【００２５】
図８を用いて、仮想空間アプリケーションにおけるコミュニケーション例について説明する。図８のそれぞれは、携帯電話２００のディスプレイ４１０に表示する画像である。図８（Ａ）は、マイルーム５２０にトモダチを招待した場合の画像である。図８（Ａ）では、「ヒロシ」のマイルーム５２０に、他のユーザーである「ＪＪ」、「みやっち」、「たくや」、「ゆみこ」を招待した例である。図８（Ｂ）は、図８（Ａ）の続きであり、その５人によってチャットが行われている例である。また、チャット内の文字に絵文字を利用した場合は、その絵文字にあわせて発言したアバターを動作させることもできる。図８（Ｃ）は、センター街５１０で会った他のユーザーと、１対１によるチャットを行う場面例である。図８（Ｄ）は、この仮想空間アプリケーションにおけるメールを例示したものである。このメールは、会話したいユーザーが現在は仮想空間アプリケーションにログインしていない場合に、マイルーム５２０にあるメール７２０を用いてコミュニケーションをとるものである。
【００２６】
以下、図面に基づき本発明の好適な一実施の形態を説明する。
各図は本発明の一実施の形態を示している。図１、図２は、本発明の一実施の形態の概念的なモジュール構成図を示している。
なお、モジュールとは、一般的に論理的に分離可能なソフトウェア、ハードウェア等の部品を指す。したがって、本実施の形態におけるモジュールはプログラムにおけるモジュールのことだけでなく、ハードウェア構成におけるモジュールも指す。それゆえ、本実施の形態は、プログラム、システムおよび方法の説明をも兼ねている。また、モジュールは機能にほぼ一対一に対応しているが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散または並列環境におけるコンピュータによって１モジュールが複数コンピュータで実行されてもよい。また、以下、「接続」とは物理的な接続の他、論理的な接続を含む。
また、システムとは、複数のコンピュータ、ハードウェア、装置等がネットワーク等で接続されて構成されるほか、１つのコンピュータ、ハードウェア、装置等によって実現される場合も含まれる。
【００２７】
図１に示す本実施の形態は、管理サーバー１００内のモジュール構成であり、起動検知モジュール１１０、日付チェックモジュール１２０、ダウンロードモジュール１３０、更新情報ファイル１４０、ダウンロードファイル１５０を備えている。
起動検知モジュール１１０は、図１に示すように、日付チェックモジュール１２０と接続されており、管理サーバー１００が管理する携帯電話２００から仮想空間アプリケーションプログラムが起動されたことを検知する。
日付チェックモジュール１２０は、図１に示すように、起動検知モジュール１１０、ダウンロードモジュール１３０、更新情報ファイル１４０と接続されている。日付チェックモジュール１２０は、更新情報ファイル１４０に記憶されている最新の仮想空間アプリケーションプログラムが用いるファイル名とそのファイルの作成日付の一覧を携帯電話２００に送付する。
なお、仮想空間アプリケーションプログラムが用いるファイルとは、例えば、仮想空間を構成するオブジェクトを表示するための３Ｄポリゴンデータなどがある。そして、仮想空間を季節にあわせて変化（例えば、１０月になると樹木の葉を色づかせる等）させる等のために、そのファイルを新しくすること（改版）が必要である。
また、日付チェックモジュール１２０は、現在の携帯電話２００が記憶している仮想空間アプリケーションプログラムが用いるファイルであって、そのファイル名とそのファイルの作成日付の一覧を携帯電話２００から受け取るようにしてもよい。その場合、その受け取った一覧と更新情報ファイル１４０に記憶されている最新の仮想空間アプリケーションプログラムが用いるファイル名とそのファイルの作成日付の一覧とを比較する。
また、日付チェックモジュール１２０は、仮想空間アプリケーションプログラムが用いる現在の携帯電話２００が記憶しているファイル名とそのファイルの作成日付の一覧を携帯電話２００から受け取るほかに、その携帯電話２００に対して行った過去のダウンロードの履歴から管理サーバー１００がその一覧を作成してもよい。
【００２８】
ダウンロードモジュール１３０は、図１に示すように、日付チェックモジュール１２０、ダウンロードファイル１５０と接続されており、管理サーバー１００からの要請によって、ダウンロードファイル１５０内にある該当する新しいファイルを携帯電話２００にダウンロードする。
また、日付チェックモジュール１２０による比較結果に応じて、携帯電話２００内に記憶されているファイルが古い場合は、ダウンロードファイル１５０内にある該当する新しいファイルを携帯電話２００にダウンロードするようにしてもよい。
更新情報ファイル１４０は、図１に示すように、日付チェックモジュール１２０と接続されており、最新の仮想空間アプリケーションプログラムが用いるファイル名とそのファイルの作成日付の一覧を記憶しており、日付チェックモジュール１２０によりアクセスされる。
ダウンロードファイル１５０は、図１に示すように、ダウンロードモジュール１３０と接続されており、最新の仮想空間アプリケーションプログラムが用いるファイルを記憶しており、ダウンロードモジュール１３０によりアクセスされる。
【００２９】
図２に示す本実施の形態は、携帯電話２００内のモジュール構成であり、起動モジュール２１０、日付チェックモジュール２２０、ダウンロードモジュール２３０、現ファイル状況ファイル２４０、仮想空間サービスファイル２５０を備えている。
起動モジュール２１０は、図２に示すように、日付チェックモジュール２２０と接続されており、操作者の操作によって、携帯電話２００内の仮想空間アプリケーションプログラムを起動する。仮想空間アプリケーションプログラムを起動したことを管理サーバー１００に通知する。
日付チェックモジュール２２０は、図２に示すように、起動モジュール２１０、ダウンロードモジュール２３０、現ファイル状況ファイル２４０と接続されている。管理サーバー１００が記憶している最新の仮想空間アプリケーションプログラムが用いるファイルであって、そのファイル名とそのファイルの作成日付の一覧を管理サーバー１００から受け取る。そして、その受け取った一覧と現ファイル状況ファイル２４０に記憶されている現在の仮想空間アプリケーションプログラムが用いるファイル名とそのファイルの作成日付の一覧とを比較する。
また、日付チェックモジュール２２０は、現ファイル状況ファイル２４０に記憶されている現在の仮想空間アプリケーションプログラムが用いるファイル名とそのファイルの作成日付の一覧を管理サーバー１００に送信してもよい。
【００３０】
ダウンロードモジュール２３０は、図２に示すように、日付チェックモジュール２２０、仮想空間サービスファイル２５０と接続されており、日付チェックモジュール２２０による比較結果に応じて、仮想空間サービスファイル２５０に記憶されているファイルが古い場合は、管理サーバー１００内にある該当する新しいファイルを仮想空間サービスファイル２５０にダウンロードする。
また、ダウンロードモジュール２３０は、単に管理サーバー１００から送信されてきたファイルを仮想空間サービスファイル２５０にダウンロードするようにしてもよい。
現ファイル状況ファイル２４０は、図２に示すように、日付チェックモジュール２２０と接続されており、仮想空間サービスファイル２５０に記憶されているファイルのファイル名とそのファイルの作成日付の一覧を記憶しており、日付チェックモジュール２２０によりアクセスされる。
仮想空間サービスファイル２５０は、図２に示すように、ダウンロードモジュール２３０と接続されており、仮想空間アプリケーションプログラムが用いるファイルを記憶しており、ダウンロードモジュール２３０によりアクセスされる。
なお、管理サーバー１００内の日付チェックモジュール１２０、携帯電話２００内の日付チェックモジュール２２０は、いずれか一方にあるような形態であってもよい。
【００３１】
図３に図１または図２に示した本実施の形態が実現されるハード的なモジュール構成例を示す。
管理サーバー１００と携帯電話２００とは、通信回線３００を介して接続されている。
管理サーバー１００は、通信モジュール１９１、ＣＰＵ１９２、入力モジュール１９３、表示モジュール１９４、ＲＡＭ１９５、ＲＯＭ１９６、ＨＤＤ１９７を備えており、これらはバス１９９によって接続されている。
通信モジュール１９１は、携帯電話２００と通信するための通信回線３００とのインタフェースである。
ＣＰＵ１９２は、ＲＡＭ１９５に記憶されているプログラムに従って各種の処理を実行する。前述した起動検知モジュール１１０、日付チェックモジュール１２０、ダウンロードモジュール１３０による処理を実行する。
入力モジュール１９３は、キーボード、マウス等のポインティングデバイス等からの入力を受け付ける。
表示モジュール１９４は、各種プログラムによる処理結果等をディスプレイに表示する。
ＲＡＭ１９５は、起動検知モジュール１１０、日付チェックモジュール１２０、ダウンロードモジュール１３０等を実現するプログラム、各モジュールが処理する変数等を記憶する。
ＲＯＭ１９６は、管理サーバー１００の起動時に動作するプログラム等を記憶している。
ＨＤＤ１９７は、ダウンロードファイル１５０、更新情報ファイル１４０の内容を記憶する記憶装置である。
【００３２】
携帯電話２００は、アンテナ２９１、通信モジュール２９２、ＣＰＵ２９３、キー入力モジュール２９４、表示モジュール２９５、ＲＡＭ２９６、ＲＯＭ２９７、メモリーカードモジュール２９８を備えており、これらはバス２９９によって接続されている。
通信モジュール２９２は、無線による通信を行うアンテナ２９１を介して管理サーバー１００と通信するための通信回線３００とのインタフェースである。
ＣＰＵ２９３は、ＲＡＭ２９６に記憶されているプログラムに従って各種の処理を実行する。前述した起動モジュール２１０、日付チェックモジュール２２０、ダウンロードモジュール２３０による処理を実行する。
キー入力モジュール２９４は、携帯電話２００のキー４２０からの入力を受け付ける。
表示モジュール２９５は、各種プログラムによる処理結果等を携帯電話２００のディスプレイ４１０に表示する。
ＲＡＭ２９６は、起動モジュール２１０、日付チェックモジュール２２０、ダウンロードモジュール２３０等を実現するプログラム、各モジュールが処理する変数等を記憶する。
ＲＯＭ２９７は、携帯電話２００の起動時に動作するプログラム等を記憶している。
メモリーカードモジュール２９８は、仮想空間サービスファイル２５０、現ファイル状況ファイル２４０の内容を記憶する記憶装置である。なお、仮想空間サービスファイル２５０、現ファイル状況ファイル２４０の内容はＲＡＭ２９６に記憶してもよい。
【００３３】
なお、携帯電話２００は、図４に示すように、電話としての機能を有するように音声入力できるマイク４５０と、音声出力できるスピーカ４４０と、電話番号または仮想空間アプリケーション等のために文字を入力するための文字入力装置であるキー４２０と、電波を送受信するアンテナ４３０と、キー４２０による文字入力の結果や仮想空間アプリケーション等による表示を行うディスプレイ４１０とを有している。また、このほかにカメラ等を有していてもよい。
【００３４】
次に作用・働き（動作）を説明する。
図９を用いて、管理サーバー１００と携帯電話２００とが通信回線３００を介して行う通信手順について説明する。なお、図９の通信手順は、携帯電話２００内の日付チェックモジュール２２０によって、新旧ファイルの比較を行う場合についてである。
ステップＳ９０１では、携帯電話２００内の起動モジュール２１０によって、仮想空間アプリケーションプログラムが起動され、その起動されたことを管理サーバー１００に通知する。管理サーバー１００内の起動検知モジュール１１０は、その通知を受け取る。
【００３５】
ステップＳ９０２では、管理サーバー１００内の日付チェックモジュール１２０によって、更新情報ファイル１４０に記憶されている最新の仮想空間アプリケーションプログラムが用いるファイル名とそのファイルの作成日付の一覧を携帯電話２００に送信する。携帯電話２００内の日付チェックモジュール２２０は、その一覧を受け取って、現ファイル状況ファイル２４０に記憶されている現在の仮想空間アプリケーションプログラムが用いるファイル名とそのファイルの作成日付の一覧とを比較する。
ステップＳ９０３では、携帯電話２００内の日付チェックモジュール２２０による比較結果に応じて、ダウンロードモジュール２３０に古いファイルがある場合は、管理サーバー１００に対して、そのファイルのダウンロードを要求する。管理サーバー１００のダウンロードモジュール１３０がダウンロードの要求を受け取る。
ステップＳ９０４では、管理サーバー１００内のダウンロードモジュール１３０は、該当するファイルをダウンロードファイル１５０より取り出して、携帯電話２００に対して送信する。携帯電話２００内のダウンロードモジュール２３０はダウンロードされてきたファイルを受け取り、仮想空間サービスファイル２５０に記憶する。
【００３６】
図１０を用いて、携帯電話２００内の現ファイル状況ファイル２４０が記憶する更新情報テーブル１０００のデータ構造について説明する。
更新情報テーブル１０００は、携帯機器ＩＤ欄１０１０、ファイル名欄１０２０、ダウンロード日付欄１０３０、ファイル名欄１０４０、ダウンロード日付欄１０５０等からなっている。
携帯機器ＩＤ欄１０１０には、仮想空間アプリケーションプログラムが動作する携帯電話２００を一意に識別できる識別子が記憶される。この識別子として、例えば携帯電話の電話番号（ＭＳＮ：Ｍｏｂｉｌｅ  Ｓｕｂｓｃｒｉｂｅｒ  Ｎｕｍｂｅｒ）を用いてもよい。
ファイル名欄１０２０には、仮想空間アプリケーションプログラムが用いるファイル名が記憶される。
ダウンロード日付欄１０３０には、ファイル名欄１０２０に記憶されたファイルがいつダウンロードされたかの日付（つまり、携帯電話２００にとっては、そのファイルが作成された日付）を記憶する。
ファイル名欄１０２０、ダウンロード日付欄１０３０の組がファイル数分だけ続くことになる。
また、更新情報テーブル１０００の携帯機器ＩＤ欄１０１０を削除したデータ構造であってもよい。ただし、携帯電話２００が管理サーバー１００に対してこのデータを送信する場合は、携帯機器ＩＤを付して送信する。
【００３７】
また、携帯電話２００内の現ファイル状況ファイル２４０が記憶するデータ構造は、図１１に示すようなデータ構造であってもよい。図１１に示す更新情報テーブル１１００は、ファイル名欄１１１０、ダウンロード日付欄１１２０からなっている。ファイル名欄１１１０、ダウンロード日付欄１１２０は、それぞれ図１０のファイル名欄１０２０、ダウンロード日付欄１０３０と同様である。つまり、現在のファイルの一覧とそれぞれのダウンロード日付を対にして記憶している。そして、この更新情報テーブル１１００を管理サーバー１００に送信する場合は、携帯機器ＩＤを付して送信する。
そして、図１１に示す更新情報テーブル１１００を受信した管理サーバー１００内では、図１１、図１２に示すようなデータ構造であってもよい。更新情報テーブル１２００は、携帯機器ＩＤ欄１２１０、一覧ファイル名欄１２２０からなっている。携帯機器ＩＤ欄１２１０は、図１０の携帯機器ＩＤ欄１０１０と同様である。一覧ファイル名欄１２２０は、図１１に示す更新情報テーブル１１００のファイル名を記憶する。つまり、携帯電話２００毎にファイル一覧の図１１に示す更新情報テーブル１１００を有し、それを図１２に示す更新情報テーブル１２００によって管理している。
【００３８】
なお、説明したプログラムについては、記録媒体に格納することも可能であり、その場合は、例えば以下の発明としても把握することができる。
携帯電話内で動作し、仮想空間におけるコミュニケーションが可能な仮想空間アプリケーションプログラムを記録したコンピュータ読み取り可能な記録媒体であって、
前記携帯電話に、
前記携帯電話によって前記仮想空間アプリケーションプログラムを起動する際に、現在の前記仮想空間アプリケーションプログラムが用いる前記携帯電話内に記憶されているファイルと最新の仮想空間アプリケーションプログラムが用いるファイルとの版を比較する版比較機能と、
前記版比較機能によって前記携帯電話内に記憶されているファイルが古い場合は、前記携帯電話内に新しいファイルをダウンロードするダウンロード機能
を実現させることを特徴とする仮想空間アプリケーションプログラムを記録したコンピュータ読み取り可能な記録媒体。
【００３９】
携帯電話と管理サーバーとが通信回線を介して接続された仮想空間コミュニケーションシステムで動作し、仮想空間におけるコミュニケーションが可能な仮想空間アプリケーションプログラムを記録したコンピュータ読み取り可能な記録媒体であって、
前記携帯電話に、
前記仮想空間アプリケーションプログラムが用いるファイルを記憶するファイル記憶機能と、
前記ファイル記憶機能に記憶されているファイルの日付を記憶するファイル日付記憶機能と、
前記仮想空間アプリケーションプログラムを起動する際に、前記ファイル日付記憶機能に記憶されているファイルの日付と前記管理サーバーに記憶されている最新の仮想空間アプリケーションプログラムが用いるファイルの日付を比較する日付比較機能と、
前記日付比較機能によってファイルが古い場合は、前記管理サーバーに記憶されている新しいファイルを前記ファイル記憶機能にダウンロードするダウンロード機能
を実現させ、
前記管理サーバーに、
前記仮想空間アプリケーションプログラムが用いる最新のファイルを記憶する最新ファイル記憶機能と、
前記最新ファイル記憶機能に記憶されているファイルの日付を記憶する最新ファイル日付記憶機能
を実現させることを特徴とする仮想空間アプリケーションプログラムを記録したコンピュータ読み取り可能な記録媒体。
【００４０】
管理サーバーと通信回線を介して接続されている携帯電話内で動作し、仮想空間におけるコミュニケーションが可能な仮想空間アプリケーションプログラムを記録したコンピュータ読み取り可能な記録媒体であって、
前記携帯電話に、
前記仮想空間アプリケーションプログラムが用いるファイルを記憶するファイル記憶機能と、
前記ファイル記憶機能に記憶されているファイルの日付を記憶するファイル日付記憶機能と、
前記仮想空間アプリケーションプログラムを起動する際に、前記ファイル日付記憶機能に記憶されているファイルの日付と前記管理サーバーに記憶されている最新の仮想空間アプリケーションプログラムが用いるファイルの日付を比較する日付比較機能と、
前記日付比較機能によってファイルが古い場合は、前記管理サーバーに記憶されている新しいファイルを前記ファイル記憶機能にダウンロードするダウンロード機能
を実現させることを特徴とする仮想空間アプリケーションプログラムを記録したコンピュータ読み取り可能な記録媒体。
【００４１】
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、光磁気ディスク（ＭＯ）、フレキシブルディスク（ＦＤ）、磁気テープ、ハードディスク、読出し専用メモリ（ＲＯＭ）、電気的消去および書換可能な読出し専用メモリ（ＥＥＰＲＯＭ）、フラッシュ・メモリ、ランダム・アクセス・メモリ（ＲＡＭ）等が含まれる。
そして、上記のプログラムまたはその一部は、上記記録媒体に記録して保存や流通等させることが可能である。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにはこれらの組合せ等の伝送媒体を用いて伝送することが可能であり、また、搬送波に乗せて搬送することも可能である。
さらに、上記のプログラムは、他のプログラムの一部分であってもよく、あるいは別個のプログラムと共に記録媒体に記録されていてもよい。
【図面の簡単な説明】
【００４２】
【図１】本実施の形態に係る管理サーバー側の概念的なモジュール構成例を示すブロック図である。
【図２】本実施の形態に係る携帯電話側の概念的なモジュール構成例を示すブロック図である。
【図３】本実施の形態に係る全体のモジュール構成例を示すブロック図である。
【図４】携帯電話の構成例を示す説明図である。
【図５】仮想空間における地図を示す説明図である。
【図６】仮想空間におけるマイルームを示す説明図である。
【図７】仮想空間におけるマイルームを示す説明図である。
【図８】仮想空間におけるコミュニケーション例を示す説明図である。
【図９】管理サーバーと携帯電話との間の通信手順例を示す説明図である。
【図１０】ダウンロードファイルを管理するためのデータ構造例を示す説明図である。
【図１１】ダウンロードファイルを管理するためのデータ構造例を示す説明図である。
【図１２】ダウンロードファイルを管理するためのデータ構造例を示す説明図である。
【符号の説明】
【００４３】
１００…管理サーバー
１１０…起動検知モジュール
１２０…日付チェックモジュール
１３０…ダウンロードモジュール
１４０…更新情報ファイル
１５０…ダウンロードファイル
２００…携帯電話
２１０…起動モジュール
２２０…日付チェックモジュール
２３０…ダウンロードモジュール
２４０…現ファイル状況ファイル
２５０…仮想空間サービスファイル
【図１】
2008083836.tif 000003
【図２】
2008083836.tif 000004
【図３】
2008083836.tif 000005
【図４】
2008083836.tif 000006
【図５】
2008083836.tif 000007
【図６】
2008083836.tif 000008
【図７】
2008083836.tif 000009
【図８】
2008083836.tif 000010
【図９】
2008083836.tif 000011
【図１０】
2008083836.tif 000012
【図１１】
2008083836.tif 000013
【図１２】
2008083836.tif 000014